(57)【特許請求の範囲】
【請求項１】
原水を貯留可能な原水容器と、当該原水容器から導かれる原水を浄化する浄化処理部と、当該浄化処理部から供給される浄水を貯留する浄水容器とを有する浄水器であって、
前記原水容器、前記浄化処理部、及び前記浄水容器を装着自在な浄水器支持体が設けられ、
前記原水容器、前記浄化処理部、及び前記浄水容器が独立に前記浄水器支持体に装着されている装着姿勢で、前記原水容器から供給される原水を前記浄化処理部にて浄化し、前記浄水容器に浄水として貯留可能に構成され、
前記浄水容器が、前記浄水器支持体から独立に着脱可能に構成され、
前記浄水容器が、浄水を貯留する浄水容器本体と、当該浄水容器本体の上部の開口を封止する蓋部材と、前記浄水容器本体のハンドルのカバー部材とに分解可能に構成され、
前記蓋部材には、前記浄化処理部にて浄化された浄水を受け入れる浄水受入口が設けられると共に、当該浄水受入口を閉止状態と開放状態とに切り替える開閉部材が設けられ、
前記開閉部材は、前記閉止状態において、前記蓋部材から前記浄化処理部の側へ突出する突起部を有し、当該突起部は、前記開閉部材が前記開放状態にあるときに、前記蓋部材から前記浄化処理部の側とは反対側へ引退するように構成され、
前記浄水器支持体に前記浄化処理部が装着され、且つ、前記開閉部材が前記閉止状態にあり前記突起部が前記浄水容器の前記蓋部材の上面より前記浄化処理部の側へ突出している状態において、前記突起部は、前記浄水容器が前記浄水器支持体に装着されるに伴って、前記浄化処理部に当接して、前記浄水容器の前記浄水器支持体への装着が禁止される浄水器。
【請求項２】
前記原水容器は、前記浄水器支持体から独立に着脱可能に構成されている請求項１に記載の浄水器。
【発明の詳細な説明】
【技術分野】
【０００１】
本発明は、原水を貯留可能な原水容器と、当該原水容器から導かれる原水を浄化する浄化処理部と、当該浄化処理部から供給される浄水を貯留する浄水容器とを有する浄水器に関する。
【背景技術】
【０００２】
従来、ポット型浄水器１００としては、図７に示すように、原水を貯える原水容器３０と、原水容器３０から導かれる原水を浄化する浄化処理部５０と、浄化処理部５０から導かれる浄水を貯留する浄水容器７０とを備えるものが、知られている（特許文献１を参照）。
当該特許文献１のポット型浄水器１００では、原水容器３０及び浄化処理部５０が、浄水容器７０の内部に一体に設けられている。
【先行技術文献】
【特許文献】
【０００３】
【特許文献１】特開２００７−３１３５０１号公報
【発明の開示】
【発明が解決しようとする課題】
【０００４】
特許文献１のポット型浄水器１００は、浄水容器７０の内部に原水容器３０及び浄化処理部５０が設けられているため、浄水容器７０に貯留可能な浄水の容量が、当該原水容器３０及び浄化処理部５０の容積分だけ、少なくなるという問題があった。
また、浄水容器７０は、原水容器３０及び浄化処理部５０と一体に設けられているため、浄水容器７０を移動させる際に、浄水容器７０、原水容器３０、及び浄化処理部５０のすべてを一体として移動させねばならず、使用者にとって使い勝手が悪い場合があるという問題があった。
【０００５】
本発明は、上述の課題に鑑みてなされたものであり、その目的は、浄水容器の十分な貯留容積を確保できると共に、使用者にとって使い勝手の良いポット型浄水器を提供することにある。
【課題を解決するための手段】
【０００６】
上記目的を達成するための浄水器の特徴構成は、
原水を貯留可能な原水容器と、当該原水容器から導かれる原水を浄化する浄化処理部と、当該浄化処理部から供給される浄水を貯留する浄水容器とを有する浄水器であって、
前記原水容器、前記浄化処理部、及び前記浄水容器を装着自在な浄水器支持体が設けられ、
前記原水容器、前記浄化処理部、及び前記浄水容器が独立に前記浄水器支持体に装着されている装着姿勢で、前記原水容器から供給される原水を前記浄化処理部にて浄化し、前記浄水容器に浄水として貯留可能に構成され、
前記浄水容器が、前記浄水器支持体から独立に着脱可能に構成され、
前記浄水容器が、浄水を貯留する浄水容器本体と、当該浄水容器本体の上部の開口を封止する蓋部材と、前記浄水容器本体のハンドルのカバー部材とに分解可能に構成され、
前記蓋部材には、前記浄化処理部にて浄化された浄水を受け入れる浄水受入口が設けられると共に、当該浄水受入口を閉止状態と開放状態とに切り替える開閉部材が設けられ、
前記開閉部材は、前記閉止状態において、前記蓋部材から前記浄化処理部の側へ突出する突起部を有し、当該突起部は、前記開閉部材が前記開放状態にあるときに、前記蓋部材から前記浄化処理部の側とは反対側へ引退するように構成され、
前記浄水器支持体に前記浄化処理部が装着され、且つ、前記開閉部材が閉止状態にあり前記突起部が前記浄水容器の前記蓋部材の上面より前記浄化処理部の側へ突出している状態において、前記突起部は、前記浄水容器が前記浄水器支持体に装着されるに伴って、前記浄化処理部に当接して、前記浄水容器の前記浄水器支持体への装着が禁止される点にある。
【０００７】
上記特徴構成によれば、原水容器、浄化処理部、及び浄水容器の夫々は、独立に浄水器支持体に装着されている装着姿勢で、原水の浄化を実行する。従来技術と比較すると、浄水容器の内部は、原水容器及び浄化処理部が存在しない状態で、浄化された浄水が貯留されることとなるため、十分な浄水の貯留容積を確保できる。
さらに、浄水容器は、浄水器支持体から独立に着脱可能に構成されているので、使用者
は、浄水を利用すべく、浄水容器を移動させる際、原水容器及び浄化処理部とは別に、浄水容器のみを移動させることができ、使用者の使い勝手を向上させることができる。
また、  上記特徴構成によれば、浄水容器は、蓋部材、カバー部材、及び浄水容器本体に、分解して洗浄することができるので、部材間の隙間まで洗浄して、雑菌の繁殖を効果的に抑制することができる。
また、分解することにより、食器洗浄器に入れて洗浄し易くなるため、浄水容器の洗浄に伴う使用者の手間を軽減することができる。
一方、蓋部材、カバー部材、および浄水容器本体を一体化した状態で、浄水を清潔に保てる。
また、本願の浄水器において、原水の浄化を実行する場合に、浄水容器の浄水受入口が閉止状態で、浄水器支持体に装着されると、浄化処理部から供給される浄水が、浄水容器に受け入れられず、外部に漏洩してしまう。このため、原水の浄化を実行する場合、浄水容器は浄水を確実に受け入れるべく、その浄水受入口を開放状態にする必要がある。
上記特徴構成によれば、浄水容器は、浄水受入口が閉止状態にある場合には、浄水器支持体への装着を禁止して、原水の浄化を実行する場合に、浄水が外部に漏洩することを防止するように構成されている。
説明を加えると、浄水受入口には、浄水受入口を閉止状態と開放状態とに切り替える開閉部材が設けられており、当該開閉部材には、その閉止状態において、蓋部材から浄化処理部の側へ突出する突起部を有し、当該突起部が、開閉部材の開放状態において、蓋部材から浄化処理部の側とは反対側へ引退するように構成されている。
そして、浄水器支持体に浄化処理部が装着され、且つ、開閉部材が閉止状態にあり突起部が浄水容器の蓋部材の上面より浄化処理部の側へ突出している状態において、突起部は、浄水容器が浄水器支持体に装着されるに伴って、浄化処理部に当接して、浄水容器の浄水器支持体への装着が禁止されることとなる。
これにより、使用者が、浄水受入口が閉止状態となっている状態で、浄水容器を浄水器支持体に装着することを防止できる。これにより、原水の浄化を実行する場合に、浄水が浄水容器に受け入れられず、外部に漏洩することを適切に防止することができる。
【００１２】
本発明の浄水器の更なる特徴構成は、前記原水容器は、前記浄水器支持体から独立に着脱可能に構成されている点にある。
【００１３】
上記特徴構成によれば、原水容器が、浄水器支持体から独立に着脱可能に構成されているので、原水容器に原水を流入させる場合、原水容器のみを蛇口等に移動させて原水を流入させることができ、使用者の使い勝手を向上させることができる。
【図面の簡単な説明】
【００１４】
【図１】原水容器及び浄水容器が非装着姿勢にある場合の浄水器の斜視図である。
【図２】原水容器及び浄水容器が装着姿勢にある場合の浄水器の斜視図である。
【図３】浄化処理部が装着姿勢にある状態における非装着姿勢にある原水容器の断面図である。
【図４】浄水容器の分解斜視図である。
【図５】開閉部材が開口部を開放状態にする場合（ａ）と、閉止状態にする場合（ｂ）の斜視図である。
【図６】開閉部材が開放状態にある場合（ａ）と閉止状態とにある場合（ｂ）における、浄水容器の装着姿勢への移行過程を示す断面図である。
【図７】従来技術に係る浄水器を示す断面図である。
【発明を実施するための形態】
【００１５】
本発明の浄水器１００は、図１、２に示すように、原水を貯留可能な原水容器３０と、当該原水容器３０から導かれる原水を浄化する浄化処理部５０と、当該浄化処理部５０から供給される浄水を貯留する浄水容器７０と、原水容器３０と浄化処理部５０と浄水容器７０とを原水の流通方向（図１、２で、矢印Ｙの矢示方向）で記載順に装着自在な浄水器支持体１０とから構成されている。そして、本発明の浄水器１００は、特に、浄水容器７０が、浄水器支持体１０から各別に着脱自在に構成されている点を特徴とする。
以下では、浄水器１００の全体構成を説明した後、原水容器３０、浄化処理部５０、及び浄水容器７０の夫々について、説明を加える。
【００１６】
〔全体構成〕
浄水器１００は、原水容器３０、浄化処理部５０、及び浄水容器７０の夫々が、原水の通流方向（図１、２で、矢印Ｙの矢示方向）を鉛直方向に沿わせる状態で、上方側から記載順に、浄水器支持体１０に装着される装着姿勢となるように構成されている。
浄水器支持体１０は、図１、２に示すように、テーブル（図示せず）等に載置可能な底部１１と、当該底部１１の側方から鉛直方向で上方（図１、２で矢印Ｙの矢示方向と反対方向）に延びる一対の側方支持体１２とから構成されている。
一対の側方支持体１２には、一対の側方支持体１２に挟まれる状態で、鉛直方向で側方支持体１２の略中央部位に、複数の螺子１３にて、浄化処理部５０が螺設されている。これにより、浄化処理部５０が浄水器支持体１０に装着される装着姿勢（図１、２に示す姿勢）となる。
原水容器３０は、浄化処理部５０が浄水器支持体１０に装着されている装着姿勢において、一対の側方支持体１２に挟まれる状態で、上方から下方（図１、２で矢印Ｙの矢示方向）へ移動して、浄化処理部５０の浄化処理部本体５１の上端部５１ａに載置されて、非装着姿勢（図１に示す姿勢）から装着姿勢（図２に示す姿勢）へと姿勢変更する。
一方、浄水容器７０は、浄化処理部５０が浄水器支持体１０に装着されている装着姿勢において、一対の側方支持体１２に挟まれる状態で、一対の側方支持体１２の対向方向に直交する方向（図１で矢印Ｘに沿う方向）に移動して、非装着姿勢（図１に示す姿勢）から、浄化処理部５０の下方で浄水器支持体１０の底部１１に載置される装着姿勢（図２に示す姿勢）へ姿勢変更する。
以上の如く、原水容器３０及び浄水容器７０は、浄水器支持体１０に対して着脱自在に構成される。
そして、原水容器３０、浄化処理部５０、及び浄水容器７０の夫々は、浄水器支持体１０に装着される装着姿勢（図２に示す姿勢）において、原水容器３０に貯留される原水を、自重によりその下方に位置する浄化処理部５０に導いて浄化し、浄化された浄水を浄水容器７０に貯留可能に構成されている。
【００１７】
〔原水容器〕
原水容器３０は、浄水器支持体１０から取り外して移動可能であり、浄水器支持体１０から取り外して移動している非装着姿勢（図３に示す姿勢）においては、その内部に原水を貯留した状態を維持できながらも、浄水器支持体１０への装着姿勢においては、浄化処理部５０に原水を供給可能としている点を特徴としている。以下、この特徴に係る構成について、詳細に説明する。
原水容器３０は、図３に示すように、原水を貯留する原水容器本体３１と、当該原水容器本体３１の上方の開口３２に設けられる原水容器蓋３３と、原水容器本体３１の下方から原水を流出する原水流出口３４とを備えている。
原水容器蓋３３には、原水流入口３５が設けられると共に、当該原水流入口３５を開放状態又は閉止状態とする原水流入口蓋３６が設けられている。
原水流出口３４には、原水容器３０の下面から下方側（図３で矢印Ｙの矢示方向の先端側）に突出して、原水をその通流方向（図３で矢印Ｙの矢示方向）に案内する筒状突出部３８が設けられている。
【００１８】
原水容器３０の下方には、原水流出口３４の筒状突出部３８の径方向で外側に位置する筒状連結部４２が上方から下方（図３で矢印Ｙの矢示方向）に延設されている。
当該筒状連結部４２は、浄化処理部５０に装着される浄水カートリッジ２００と連結可能に構成されている。当該連結状態が維持されている状態では、原水容器３０から供給される原水は、確実に浄化処理部５０の浄水カートリッジ２００に導かれることとなる。
【００１９】
〔脚状体及び案内部材〕
原水容器３０は、その下面から下方側（図３で矢印Ｙの矢示方向で先端側）に延びて自身を支持する一対の脚状体４３を備えている。一方、浄化処理部５０の上面には、原水容器３０及び浄化処理部５０が浄水器支持体１０に装着されている装着姿勢において、脚状体４３の外面に沿う形状の案内部材５４が設けられている。
当該案内部材５４は、浄化処理部５０が浄水器支持体１０に装着されている装着姿勢（図３に示す姿勢）において、原水容器３０が非装着姿勢（図３に示す姿勢）から装着姿勢に姿勢変更するときに、脚状体４３を案内する形態で、浄化処理部５０に対し原水容器３０を案内する。
これにより、原水容器３０は、原水容器３０の原水流出口３４と浄化処理部５０に装着される浄水カートリッジ２００の原水受入口１１７とが芯出しされている状態に、位置決めされる。
【００２０】
脚状体４３は、原水容器３０が浄水器支持体１０から取り外された非装着姿勢において、原水容器３０がテーブル等（図示せず）に載置された場合、テーブル等に対して原水容器３０を支持する。
このように、原水容器３０が脚状体４３により支持されている状態で、原水容器３０の筒状突出部３８の下端部３８ａは、脚状体４３の下端部よりも上方側に位置している。
これにより、原水容器３０の筒状突出部３８の下端部３８ａは、原水容器３０が脚状体４３により支持されている状態において、テーブル等に当接することはなく、テーブル等に存在する場合のある雑菌の付着が防止される。
【００２１】
〔浄化処理部〕
浄化処理部５０は、図１、２に示すように、浄水カートリッジ２００を装着可能に構成されている。
浄化処理部５０は、図１、２に示すように、主には、浄水器支持体１０に螺設される浄化処理部本体５１と、当該浄化処理部本体５１の内部に配設されて、浄水カートリッジ２００を支持する浄水カートリッジ支持部材５２とから構成されている。
【００２２】
〔浄水容器〕
本発明においては、浄水容器７０は、浄水器支持体１０から独立に装着及び取り外しが可能に構成されており、その装着姿勢において、浄化処理部５０にて浄化された浄水が、その内部に適切に導かれるように構成されている点を特徴としている。
以下、図１、４、５、６に基づいて、その構成を説明する。
浄水容器７０は、図４に示すように、浄水を貯留する浄水容器本体７１と、当該浄水容器本体７１の上部の開口を封止する蓋部材７２と、浄水容器本体７１のハンドル７３に設けられるカバー部材７４とから構成されており、これらは互いに分離可能に構成されている。
蓋部材７２には、図５に示すように、浄化処理部５０にて浄化された浄水を受け入れる浄水受入口７５が設けられると共に、当該浄水受入口７５を閉止する閉止状態（図５（ｂ）に示す状態）と、浄水受入口７５を開放する開放状態（図５（ａ）に示す状態）とに切り替える開閉部材７８が設けられる。
説明を加えると、開閉部材７８は、蓋部材７２に設けられた回転軸７６を回転中心として回転する形態で、浄水受入口７５の上方位置（図５（ｂ）に示す位置）に位置して、浄水受入口７５を閉止する閉止状態と、浄水受入口７５の上方位置から外れたハンドル７３側の位置（図５（ａ）に示す位置）に位置して、浄水受入口７５を開放する開放状態とを切り替え可能に構成されている。
さらに、当該開閉部材７８は、図５（ｂ）、６（ｂ）に示すように、閉止状態において、蓋部材７２から浄化処理部５０の側（図５（ｂ）、６（ｂ）で矢印Ｙの矢示方向と反対側）へ突出する突起部７７を有している。当該突起部７７は、開閉部材７８が開放状態にあるときに、蓋部材７２から浄化処理部５０の側とは反対側（図５（ａ）、６（ａ）で矢印Ｙの矢示方向）へ引退するように構成されている。
尚、当該突起部７７は、図６（ｂ）に示すように、開閉部材７８が閉止状態で、且つ、浄化処理部５０が浄水器支持体１０への装着姿勢にある場合に、浄水容器７０を浄水器支持体１０の底部１１に載置すると、上下方向（図６（ｂ）で矢印Ｙに沿う方向）で、浄化処理部５０の下方部位５３よりも、上方側に位置する。
【００２３】
上述の構成により、突起部７７は、図６（ｂ）に示すように、開閉部材７８が閉止状態にある状態で、蓋部材７２から浄化処理部５０の側へ突出するため、浄水容器７０が浄水器支持体１０に装着されるに伴って、浄化処理部５０の下方部位５３に当接する。これにより、開閉部材７８が閉止状態にある状態では、浄水容器７０が装着姿勢となることはない。結果、開閉部材７８が閉止状態で、浄水容器７０が装着姿勢とされ、原水の浄化処理が実行されて、浄水が浄水容器７０の外部へ流れてしまうことを防止できる。
一方、突起部７７は、図６（ａ）に示すように、開閉部材７８が開放状態では、蓋部材７２から浄化処理部５０の側とは反対側へ引退するため、浄化処理部５０の下方部位５３に当接することはない。これにより、浄水容器７０は、開閉部材７８が閉止状態では、非装着姿勢から装着姿勢に移行可能となる。
【産業上の利用可能性】
【００２４】
本発明の浄水器は、浄水容器の十分な貯留容積を確保できると共に、使用者にとって使い勝手の良いポット型浄水器として、有効に利用可能である。
【符号の説明】
【００２５】
１０          ：浄水器支持体
１１          ：底部
３０          ：原水容器
３４          ：原水流出口
３８          ：筒状突出部
３８ａ        ：筒状突出部の下端部
４３          ：脚状体
５０          ：浄化処理部
５４          ：案内部材
７０          ：浄水容器
７１          ：浄水容器本体
７２          ：蓋部材
７３          ：ハンドル
７４          ：カバー部材
７５          ：浄水受入口
７７          ：突起部
７８          ：開閉部材
１００          ：浄水器
２００          ：浄水カートリッジ
Ｙ              ：原水の通流方向
【図１】
0005846807.tif 000002
【図２】
0005846807.tif 000003
【図３】
0005846807.tif 000004
【図４】
0005846807.tif 000005
【図５】
0005846807.tif 000006
【図６】
0005846807.tif 000007
【図７】
0005846807.tif 000008